【手続補正書】
【提出日】平成16年10月8日(2004.10.8)
【手続補正１】
【補正対象書類名】明細書
【補正対象項目名】全文
【補正方法】変更
【補正の内容】
【書類名】  明細書
【発明の名称】  液晶表示装置の駆動方法および駆動装置
【特許請求の範囲】
【請求項１】
駆動すべき液晶パネルのデータ線の駆動電圧として、ｋビットのデジタルデータ信号に基づいて、コモン電圧に対して正極性および負極性の２のｋ乗階調の階調電圧のうちの１つの階調電圧をＤ／Ａコンバータで選択し、立ち上がり波形と立ち下がり波形の両方を出力するボルテージホロワ接続の演算増幅器で駆動能力を上げて出力端子から出力し、この出力の極性が所定期間ごとに切替わる際、前記出力端子を一旦、コモン電圧に接続する液晶表示装置の駆動方法であって、前記出力端子をコモン電圧に接続後から前記Ｄ／Ａコンバータが次の切替わる極性で次の階調電圧を選択するまでの期間、前記演算増幅器の入力を演算増幅器に流れる電流が最小となる次の切替わる極性での階調電圧としたことを特徴とする液晶表示装置の駆動方法。
【請求項２】
前記演算増幅器に流れる電流が最小となる階調電圧が、コモン電圧に対して最大の電位差となる階調電圧であることを特徴とする請求項１記載の液晶表示装置の駆動方法。
【請求項３】
前記演算増幅器に流れる電流が最小となる階調電圧が、前記Ｄ／Ａコンバータから出力されることを特徴とする請求項２記載の液晶表示装置の駆動方法。
【請求項４】
前記出力端子をコモン電圧に接続後から前記Ｄ／Ａコンバータが次の階調電圧を選択するまでの期間、前記Ｄ／Ａコンバータに入力されるデジタルデータ信号のｋビットが全て同一レベルであることを特徴とする請求項３記載の液晶表示装置の駆動方法。
【請求項５】
ｋビットのデジタルデータ信号に基づいて、コモン電圧に対して正極性および負極性の２のｋ乗階調の階調電圧のうちの１つの階調電圧を選択するＤ／Ａコンバータと、この選択された階調電圧を駆動能力を上げて出力する立ち上がり波形と立ち下がり波形の両方を出力するボルテージホロワ接続の演算増幅器と、この演算増幅器の出力を駆動すべき液晶パネルのデータ線に出力する出力端子とを具備し、この出力端子からの出力の極性が所定期間ごとに切替わる際、前記出力端子を一旦、コモン電圧に接続する液晶表示装置の駆動装置であって、前記出力端子をコモン電圧に接続後から前記Ｄ／Ａコンバータが次の切替わる極性で次の階調電圧を選択するまでの期間、前記演算増幅器の入力を演算増幅器に流れる電流が最小となる次の切替わる極性での階調電圧としたことを特徴とする液晶表示装置の駆動装置。
【請求項６】
前記演算増幅器に流れる電流が最小となる階調電圧が、コモン電圧に対して最大の電位差となる階調電圧であることを特徴とする請求項５記載の液晶表示装置の駆動装置。
【請求項７】
前記演算増幅器に流れる電流が最小となる階調電圧が、前記Ｄ／Ａコンバータから出力されることを特徴とする請求項６記載の液晶表示装置の駆動装置。
【請求項８】
前記出力端子をコモン電圧に接続後から前記Ｄ／Ａコンバータが次の階調電圧を選択するまでの期間、前記Ｄ／Ａコンバータに入力されるデジタルデータ信号のｋビットが全て同一レベルであることを特徴とする請求項７記載の液晶表示装置の駆動装置。
【発明の詳細な説明】
【０００１】
【発明の属する技術分野】
本発明は、アクティブマトリクス方式の液晶表示装置の駆動方法および駆動装置に関し、特に液晶表示装置を低消費電力で駆動するのに好適な駆動方法および駆動装置に関する。
【０００２】
【従来の技術】
アクティブマトリクス方式の液晶表示装置は、液晶パネルとして、画素を構成する画素電極およびスイッチング素子、例えばＴＦＴ（薄膜トランジスタ）がマトリックス状に形成されたリア側のガラス基板と、コモン電極およびカラーフィルタが形成されたフロント側のガラス基板とが液晶を介して互いに対向配置され、ＴＦＴと画素電極に、水平方向に延在し垂直方向に並設される走査線と、垂直方向に延在し水平方向に並設されるデータ線が接続されて構成されている。液晶パネルには走査線に垂直ドライバＩＣが、および、データ線に水平ドライバＩＣが接続され、垂直ドライバＩＣから各走査線に線順次に走査信号が供給されることにより、走査信号が供給された走査線に接続されている各ＴＦＴがオンし、水平ドライバＩＣから各データ線に同時に供給された駆動電圧がこのオンしたＴＦＴを介して対応する画素電極に供給され、コモン電極に供給される電圧（以下、コモン電圧Ｖcomという）とで液晶を駆動する。
【０００３】
各画素電極に供給される駆動電圧は、液晶固有の特性からコモン電圧に対して正電圧と負電圧を交互に供給しなければならず、例えば、２５６階調表示の場合、正電圧として正極性階調電圧ＶＰ１〜ＶＰ２５６（Ｖcom＜ＶＰ１＜ＶＰ２５６＞のうちのひとつの階調電圧ＶＰｘと負電圧として負極性階調電圧ＶＮ１〜ＶＮ２５６（Ｖcom＞ＶＮ１＞ＶＮ２５６）のうちのひとつの階調電圧ＶＮｘとが交互に供給される。この正電圧と負電圧を交互に供給する駆動方式としては、１画面（フレーム）ごとに切り換えるフレーム反転駆動や、１走査線（１水平ライン）ごとに切り換えるライン反転駆動や、１画素電極単位で切り換えるドット反転駆動等の交流駆動方式が提案されており、ライン反転駆動やドット反転駆動の場合では、１水平ラインを走査するごとに、フレーム反転駆動の場合では、１フレームを走査するごとに、液晶パネルの駆動電圧として、データ線に正電圧と負電圧を交互に供給するため、駆動電圧の波形は負電圧から正電圧の立ち上がり波形と正電圧から負電圧の立ち下がり波形となる。この立ち上がり波形および立ち下がり波形は、液晶パネルが大型化して各データ線の負荷が大きくなるに従い、図６に立ち上がり波形の例を示し、立ち下がり波形の例は図示しないが、緩やかな傾きとなり、所望の駆動電圧になるための立ち上がりおよび立ち下がり時間が長くなり、消費電流の増加や液晶パネルへの書き込みが正常に行なわれないという不具合が起こる虞がある。この問題を解決するために、データ線に正電圧と負電圧を交互に供給するとき、一旦、データ線をコモン電圧の電位にしてから正電圧と負電圧の供給を切り換える提案が、例えば、特開平１１−３０９７５号公報、特開平１１−２７２２３７号公報等で開示されている。
【０００４】
以下に、上記提案の一実施例を図３および図４を参照して説明する。図３において、１００は、水平ドライバＩＣで、液晶パネルのデータ線３８４本分をドット反転駆動し、２５６階調表示する能力を有するものとして説明する。水平ドライバＩＣ１００は、各データ線に駆動電圧を出力する３８４個の出力端子Ｓ１〜Ｓ３８４と、各データ線に対応して階調電圧ＶＰｘ，ＶＮｘを交互に供給するＤ／Ａコンバータ１１０と、Ｄ／Ａコンバータ１１０からの階調電圧ＶＰｘ，ＶＮｘを駆動能力を上げて各データ線に駆動電圧として交互に出力する３８４個の立ち上がりおよび立ち下がり用の両方を兼ねた１アンプ方式のボルテージフォロア接続の演算増幅器１２０と、各演算増幅器１２０の出力をデータ線から切り離しコモン電圧Ｖcomに接続させる３８４個のＡスイッチ１３０およびＢスイッチ１４０とを有している。Ｄ／Ａコンバータ１１０から各演算増幅器１２０には、水平ドライバＩＣの外部からシリアルに供給され、内部の図示しない回路から各データ線に対応してパラレルに供給されるｋ＝８ビットのデジタルデータ信号Ｄ１〜Ｄ８に基づいて、外部から供給されるγ補正電源電圧Ｖ１〜Ｖ１０により生成される２５６階調の階調電圧ＶＰ１〜ＶＰ２５６，ＶＮ１〜ＶＮ２５６のうちのひとつの階調電圧ＶＰｘ，ＶＮｘが、１水平ラインごとに２ｎ−１（奇数）番目（ｎ＝１〜１９２）のデータ線と２ｎ（偶数）番目のデータ線とで階調電圧ＶＰｘと階調電圧ＶＮｘとを交互に選択されて供給される。スイッチ１３０および１４０は、例えば、ＭＯＳトランジスタからなるトランスファゲートで構成されている。
【０００５】
上記構成の水平ドライバＩＣ１００の動作を図４を併用して説明する。水平ドライバＩＣ１００には外部から、８ビットのデジタルデータ信号Ｄ１〜Ｄ８、ゲートイネーブル信号ＯＥ、ラッチ信号ＳＴＢ、γ補正電源電圧Ｖ１〜Ｖ１０が供給される。図示しない垂直ドライバＩＣに、図４（ｂ）に示すように、ゲートイネーブル信号ＯＥが供給されると、この垂直ドライバＩＣからゲートイネーブル信号ＯＥの立ち下がりと立ち上がりに同期して、図４（ａ）に示すように、ある走査線に走査信号Ｇmのパルスが供給され、次の走査線にブランキング期間の後に走査信号Ｇm+1のパルスが供給される。
【０００６】
ゲートイネーブル信号ＯＥが"Ｈ" レベルから"Ｌ" レベル（ある走査信号Ｇmが"Ｈ"レベル）になると、走査信号Ｇmが"Ｈ"レベルの期間（ゲートイネーブル信号ＯＥが"Ｌ" レベルの期間）において、図４（ｂ）に示すように、ラッチ信号ＳＴＢが"Ｈ"レベルになると、ラッチ信号ＳＴＢの立ち上がりエッジで、内部の図示しない回路でパラレルに変換された８ビットのデジタルデータ信号が各データ線に対応してＤ／Ａコンバータ１１０に供給され、Ｄ／Ａコンバータ１１０から、２ｎ−１番目のデータ線に対応する演算増幅器１２０に２５６階調の階調電圧ＶＰ１〜ＶＰ２５６のうちのひとつの階調電圧ＶＰｘが選択されて供給され、この演算増幅器１２０から、図４（ｄ）に示すように、出力Ａ2n-1として出力されるとともに、２ｎ番目のデータ線に対応する演算増幅器１２０に２５６階調の階調電圧ＶＮ１〜ＶＮ２５６のうちのひとつの階調電圧ＶＮｘが選択されて供給され、この演算増幅器１２０から、図示しないが、出力Ａ2nとして出力される。ラッチ信号ＳＴＢが"Ｌ"レベルになると、ラッチ信号ＳＴＢの立ち下がりエッジで、図４（ｃ）に示すように、Ａスイッチ１３０がオン状態、およびＢスイッチ１４０がオフ状態になり、図４（ｅ）に示すように、出力端子Ｓ2n-1に選択された階調電圧ＶＰｘが出力され、図示しないが、出力端子Ｓ2nに選択された階調電圧ＶＮｘが出力される。
【０００７】
ゲートイネーブル信号ＯＥが"Ｈ" レベル（走査信号Ｇmが"Ｌ"レベル）になると、ゲートイネーブル信号ＯＥの立ち上がりエッジで、図４（ｃ）に示すように、Ａスイッチ１３０がオフ状態、およびＢスイッチ１４０がオン状態になり、図４（ｅ）に示すように、出力端子Ｓ2n-1にコモン電圧Ｖcomが出力され、図示しないが、出力端子Ｓ2nにもコモン電圧Ｖcomが出力される。
【０００８】
次にゲートイネーブル信号ＯＥが"Ｌ" レベル（次の走査信号Ｇm+1が"Ｈ"レベル）になると、走査信号Ｇm+1が"Ｈ"レベルの期間（ゲートイネーブル信号ＯＥが"Ｌ" レベルの期間）において、図４（ｂ）に示すように、ラッチ信号ＳＴＢが"Ｈ"レベルになると、ラッチ信号ＳＴＢの立ち上がりエッジで、内部の図示しない回路でパラレルに変換された８ビットのデジタルデータ信号が各データ線に対応してＤ／Ａコンバータ１１０に供給され、Ｄ／Ａコンバータ１１０から、２ｎ−１番目のデータ線に対応する演算増幅器１２０に２５６階調の階調電圧ＶＮ１〜ＶＮ２５６のうちのひとつの階調電圧ＶＮｘが選択されて供給され、この演算増幅器１２０から、図４（ｄ）に示すように、出力Ａ2n-1として出力されるとともに、２ｎ番目のデータ線に対応する演算増幅器１２０に２５６階調の階調電圧ＶＰ１〜ＶＰ２５６のうちのひとつの階調電圧ＶＰｘが選択されて供給され、この演算増幅器１２０から、図示しないが、出力Ａ2nとして出力される。ラッチ信号ＳＴＢが"Ｌ"レベルになると、ラッチ信号ＳＴＢの立ち下がりエッジで、図４（ｃ）に示すように、Ａスイッチ１３０がオン状態、およびＢスイッチ１４０がオフ状態になり、図４（ｅ）に示すように、出力端子Ｓ2n-1に選択された階調電圧ＶＮｘが出力され、図示しないが、出力端子Ｓ2nに選択された階調電圧ＶＰｘが出力される。
【０００９】
ゲートイネーブル信号ＯＥが"Ｈ" レベル（走査信号Ｇm+1が"Ｌ"レベル）になると、ゲートイネーブル信号ＯＥの立ち上がりエッジで、図４（ｃ）に示すように、Ａスイッチ１３０がオフ状態、およびＢスイッチ１４０がオン状態になり、図４（ｅ）に示すように、出力端子Ｓ2n-1にコモン電圧Ｖcomが出力され、図示しないが、出力端子Ｓ2nにもコモン電圧Ｖcomが出力される。以上のように、各データ線への駆動電圧としての階調電圧ＶＰｘ，ＶＮｘの切替えを直にやるのではなく、一旦、コモン電圧の電位にしてから切替えているので、図４（ｆ）に示すように、切替え時の消費電流を低減することができる。
【００１０】
【発明が解決しようとする課題】
ところで、出力端子がコモン電圧Ｖcomの電位である期間（出力端子から階調電圧ＶＰｘ，ＶＮｘを出力していない期間）においても、図４（ｄ）に示すように、演算増幅器１２０は、選択された階調電圧ＶＰｘ，ＶＮｘを出力し続けており、このときも、演算増幅器は電流を消費している。液晶パネルが大型化してデータ線の本数が増加するに従い、これに対応して演算増幅器の数も増加し、この消費電流も無視できなくなってくる。従って、本発明は上記の問題点を解決するためになされたもので、演算増幅器に含まれる差動増幅段に流れる電流が、階調電圧値により一定ではないことに目をつけ、上記の期間、この差動増幅段に流れる電流値が少なくてすむ階調電圧値を入力するようにして、消費電流を減少させた液晶表示装置の駆動方法および駆動装置を提供することを目的とする。
【００１１】
【課題を解決するための手段】
（１）本発明に係わる液晶表示装置の駆動方法は、駆動すべき液晶パネルのデータ線の駆動電圧として、ｋビットのデジタルデータ信号に基づいて、コモン電圧に対して正極性および負極性の２のｋ乗階調の階調電圧のうちの１つの階調電圧をＤ／Ａコンバータで選択し、立ち上がり波形と立ち下がり波形の両方を出力するボルテージホロワ接続の演算増幅器で駆動能力を上げて出力端子から出力し、この出力の極性が所定期間ごとに切替わる際、前記出力端子を一旦、コモン電圧に接続する液晶表示装置の駆動方法であって、前記出力端子をコモン電圧に接続後から前記Ｄ／Ａコンバータが次の切替わる極性で次の階調電圧を選択するまでの期間、前記演算増幅器の入力を演算増幅器に流れる電流が最小となる次の切替わる極性での階調電圧としたことを特徴とする。
（２）本発明に係わる液晶表示装置の駆動方法は上記（１）項において、前記演算増幅器に流れる電流が最小となる階調電圧が、コモン電圧に対して最大の電位差となる階調電圧であることを特徴とする。
（３）本発明に係わる液晶表示装置の駆動方法は上記（２）項において、前記演算増幅器に流れる電流が最小となる階調電圧が、前記Ｄ／Ａコンバータから出力されることを特徴とする。
（４）本発明に係わる液晶表示装置の駆動方法は上記（３）項において、前記出力端子をコモン電圧に接続後から前記Ｄ／Ａコンバータが次の階調電圧を選択するまでの期間、前記Ｄ／Ａコンバータに入力されるデジタルデータ信号のｋビットが全て同一レベルであることを特徴とする。
（５）本発明に係わる液晶表示装置の駆動装置は、ｋビットのデジタルデータ信号に基づいて、コモン電圧に対して正極性および負極性の２のｋ乗階調の階調電圧のうちの１つの階調電圧を選択するＤ／Ａコンバータと、この選択された階調電圧を駆動能力を上げて出力する立ち上がり波形と立ち下がり波形の両方を出力するボルテージホロワ接続の演算増幅器と、この演算増幅器の出力を駆動すべき液晶パネルのデータ線に出力する出力端子とを具備し、この出力端子からの出力の極性が所定期間ごとに切替わる際、前記出力端子を一旦、コモン電圧に接続する液晶表示装置の駆動装置であって、前記出力端子をコモン電圧に接続後から前記Ｄ／Ａコンバータが次の切替わる極性で次の階調電圧を選択するまでの期間、前記演算増幅器の入力を演算増幅器に流れる電流が最小となる次の切替わる極性での階調電圧としたことを特徴とする。
（６）本発明に係わる液晶表示装置の駆動装置は上記（５）項において、前記演算増幅器に流れる電流が最小となる階調電圧が、コモン電圧に対して最大の電位差となる階調電圧であることを特徴とする。
（７）本発明に係わる液晶表示装置の駆動装置は上記（６）項において、前記演算増幅器に流れる電流が最小となる階調電圧が、前記Ｄ／Ａコンバータから出力されることを特徴とする。
（８）本発明に係わる液晶表示装置の駆動装置は上記（７）項において、前記出力端子をコモン電圧に接続後から前記Ｄ／Ａコンバータが次の階調電圧を選択するまでの期間、前記Ｄ／Ａコンバータに入力されるデジタルデータ信号のｋビットが全て同一レベルであることを特徴とする。
【００１２】
【発明の実施の形態】
以下に、本発明に基づき、一実施例を図１および図２を参照して説明する。図１において、２００は、水平ドライバＩＣで、液晶パネルのデータ線３８４本分をドット反転駆動し、２５６階調表示する能力を有するものとして説明する。水平ドライバＩＣ２００は、各データ線に駆動電圧を出力する３８４個の出力端子Ｓ１〜Ｓ３８４と、各データ線に対応して階調電圧ＶＰｘ，ＶＮｘを交互に供給するＤ／Ａコンバータ２１０と、Ｄ／Ａコンバータ２１０からの階調電圧ＶＰｘ，ＶＮｘを駆動能力を上げて各データ線に駆動電圧として交互に出力する３８４個の立ち上がりおよび立ち下がり用の両方を兼ねた１アンプ方式のボルテージフォロア接続の演算増幅器２２０と、各演算増幅器２２０の出力をデータ線から切り離しコモン電圧Ｖcomに接続させる３８４個のＡスイッチ２３０およびＢスイッチ２４０と、Ｄ／Ａコンバータ２１０の入力を、液晶パネルを所望の階調表示するために水平ドライバＩＣの外部からシリアルに供給されて内部の図示しない回路から各データ線に対応してパラレルに供給されるｋ＝８ビットのデジタルデータ信号Ｄ１〜Ｄ８と、固定の８ビットのデータ信号Ｄ１〜Ｄ８＝ａｌｌ"１"とで切替える３８４個のＣスイッチ２５０およびＤスイッチ２６０とを有している。Ｄ／Ａコンバータ２１０から各演算増幅器２２０には、Ｃスイッチ２５０がオン制御およびＤスイッチ２６０がオフ制御のとき、水平ドライバＩＣの内部の図示しない回路から各データ線に対応してパラレルに供給される８ビットのデジタルデータ信号Ｄ１〜Ｄ８に基づいて、外部から供給されるγ補正電源電圧Ｖ１〜Ｖ１０により生成される２５６階調の階調電圧ＶＰ１〜ＶＰ２５６，ＶＮ１〜ＶＮ２５６のうちのひとつの階調電圧ＶＰｘ，ＶＮｘが、１水平ラインごとに２ｎ−１番目のデータ線と２ｎ番目のデータ線とで、階調電圧ＶＰｘと階調電圧ＶＮｘとを交互に選択され、および、Ｃスイッチ２５０がオフ制御およびＤスイッチ２６０がオン制御のとき、水平ドライバＩＣの内部の図示しない回路からパラレルに供給される８ビットの固定のデジタルデータ信号Ｄ１〜Ｄ８＝ａｌｌ"１"に基づいて、階調電圧ＶＰ２５６，ＶＮ２５６が、１水平ラインごとに２ｎ−１番目のデータ線と２ｎ番目のデータ線とで、階調電圧ＶＰ２５６と階調電圧ＶＮ２５６とを交互に選択されて供給される。演算増幅器２２０は、階調電圧ＶＰｘ，ＶＮｘを交互に出力するために、立ち上がりおよび立ち下がり用の両方を兼ねた１アンプ方式であり、内部に、立ち上がり用の差動増幅段と立ち下がり用の差動増幅段を含み、定常状態では、階調電圧ＶＰ２５６が入力されているとき立ち下がり用の差動増幅段に流れる電流が最小となり、階調電圧ＶＮ２５６が入力されているとき立ち上がり用の差動増幅段に流れる電流が最小となるため、図５に示すように、演算増幅器２２０全体では、正極性階調電圧としてはＶＰ２５６が、および負極性階調電圧としてはＶＮ２５６が入力されているとき、演算増幅器２２０に流れる電流は最小となる。スイッチ２３０，２４０，２５０および２６０は、例えば、ＭＯＳトランジスタからなるトランスファゲートで構成されている。
【００１３】
上記構成の水平ドライバＩＣ２００の動作を図２を併用して説明する。水平ドライバＩＣ２００には外部から、８ビットのデジタルデータ信号Ｄ１〜Ｄ８、ゲートイネーブル信号ＯＥ、ラッチ信号ＳＴＢ、γ補正電源電圧Ｖ１〜Ｖ１０が供給される。図示しない垂直ドライバＩＣに、図２（ｂ）に示すように、ゲートイネーブル信号ＯＥが供給されると、垂直ドライバＩＣからゲートイネーブル信号ＯＥの立ち下がりと立ち上がりに同期して、図２（ａ）に示すように、ある走査線に走査信号Ｇmのパルスが供給され、次の走査線にブランキング期間の後に走査信号Ｇm+1のパルスが供給される。
【００１４】
ゲートイネーブル信号ＯＥが"Ｈ" レベルから"Ｌ" レベル（ある走査信号Ｇmが"Ｈ"レベル）になると、走査信号Ｇmが"Ｈ"レベルの期間（ゲートイネーブル信号ＯＥが"Ｌ" レベルの期間）において、図２（ｂ）に示すように、ラッチ信号ＳＴＢが"Ｈ"レベルになると、ラッチ信号ＳＴＢの立ち上がりエッジで、図２（ｃ）に示すように、Ｃスイッチ２５０がオン状態、およびＤスイッチ２６０がオフ状態になり、液晶パネルを所望の階調表示するために水平ドライバＩＣの外部からシリアルに供給されて内部の図示しない回路でパラレルに変換された８ビットのデジタルデータ信号が各データ線に対応してＤ／Ａコンバータ２１０に供給され、Ｄ／Ａコンバータ２１０から、２ｎ−１番目のデータ線に対応する演算増幅器２２０に２５６階調の階調電圧ＶＰ１〜ＶＰ２５６のうちのひとつの階調電圧ＶＰｘが選択されて供給され、この演算増幅器２２０から、図２（ｄ）に示すように、出力Ａ2n-1として出力されるとともに、２ｎ番目のデータ線に対応する演算増幅器２２０に２５６階調の階調電圧ＶＮ１〜ＶＮ２５６のうちのひとつの階調電圧ＶＮｘが選択されて供給され、この演算増幅器２２０から、図示しないが、出力Ａ2nとして出力される。ラッチ信号ＳＴＢが"Ｌ"レベルになると、ラッチ信号ＳＴＢの立ち下がりエッジで、図２（ｃ）に示すように、Ａスイッチ２３０がオン状態、およびＢスイッチ２４０がオフ状態になり、図２（ｅ）に示すように、出力端子Ｓ2n-1に選択された階調電圧ＶＰｘが出力され、図示しないが、出力端子Ｓ2nに選択された階調電圧ＶＮｘが出力される。
【００１５】
ゲートイネーブル信号ＯＥが"Ｈ" レベル（走査信号Ｇmが"Ｌ"レベル）になると、ゲートイネーブル信号ＯＥの立ち上がりエッジで、図２（ｃ）に示すように、Ａスイッチ２３０とＣスイッチ２５０とがオフ状態、およびＢスイッチ２４０とＤスイッチ２６０とがオン状態となり、Ｄ／Ａコンバータ２１０に８ビットの固定のデジタルデータ信号Ｄ１〜Ｄ８＝ａｌｌ"１"が供給されると、図２（ｄ）に示すように、演算増幅器２２０の出力Ａ2n-1として階調電圧ＶＮ２５６が出力され、図２（ｅ）に示すように、出力端子Ｓ2n-1にコモン電圧Ｖcomが出力され、図示しないが、演算増幅器２２０の出力Ａ2n-1として階調電圧ＶＰ２５６が出力され、出力端子Ｓ2nにコモン電圧Ｖcomが出力される。
【００１６】
次にゲートイネーブル信号ＯＥが"Ｌ" レベル（次の走査信号Ｇm+1が"Ｈ"レベル）になると、走査信号Ｇm+1が"Ｈ"レベルの期間（ゲートイネーブル信号ＯＥが"Ｌ" レベルの期間）において、図２（ｂ）に示すように、ラッチ信号ＳＴＢが"Ｈ"レベルになると、ラッチ信号ＳＴＢの立ち上がりエッジで、図２（ｃ）に示すように、Ｃスイッチ２５０がオン状態、およびＤスイッチ２６０がオフ状態になり、液晶パネルを所望の階調表示するために水平ドライバＩＣの外部からシリアルに供給されて内部の図示しない回路でパラレルに変換された８ビットのデジタルデータ信号が各データ線に対応してＤ／Ａコンバータ２１０に供給され、Ｄ／Ａコンバータ２１０から、２ｎ−１番目のデータ線に対応する演算増幅器２２０に２５６階調の階調電圧ＶＮ１〜ＶＮ２５６のうちのひとつの階調電圧ＶＮｘが選択されて供給され、この演算増幅器２２０から、図２（ｄ）に示すように、出力Ａ2n-1として出力されるとともに、２ｎ番目のデータ線に対応する演算増幅器２２０に２５６階調の階調電圧ＶＰ１〜ＶＰ２５６のうちのひとつの階調電圧ＶＰｘが選択されて供給され、この演算増幅器２２０から、図示しないが、出力Ａ2nとして出力される。ラッチ信号ＳＴＢが"Ｌ"レベルになると、ラッチ信号ＳＴＢの立ち下がりエッジで、図２（ｃ）に示すように、Ａスイッチ２３０がオン状態、およびＢスイッチ２４０がオフ状態になり、図２（ｅ）に示すように、出力端子Ｓ2n-1に選択された階調電圧ＶＮｘが出力され、図示しないが、出力端子Ｓ2nに選択された階調電圧ＶＰｘが出力される。
【００１７】
ゲートイネーブル信号ＯＥが"Ｈ" レベル（走査信号Ｇmが"Ｌ"レベル）になると、ゲートイネーブル信号ＯＥの立ち上がりエッジで、図２（ｃ）に示すように、Ａスイッチ２３０とＣスイッチ２５０とがオフ状態、およびＢスイッチ２４０とＤスイッチ２６０とがオン状態となり、Ｄ／Ａコンバータ２１０に８ビットの固定のデジタルデータ信号Ｄ１〜Ｄ８＝ａｌｌ"１"が供給されると、図２（ｄ）に示すように、演算増幅器２２０の出力Ａ2n-1として階調電圧ＶＰ２５６が出力され、図２（ｅ）に示すように、出力端子Ｓ2n-1にコモン電圧Ｖcomが出力され、図示しないが、演算増幅器２２０の出力Ａ2n-1として階調電圧ＶＮ２５６が出力され、出力端子Ｓ2nにコモン電圧Ｖcomが出力される。
【００１８】
以上で説明したように、出力端子Ｓ１〜Ｓ３８４をコモン電圧Ｖcomに接続後からＤ／Ａコンバータ２１０が次の切替わる極性で次の階調電圧ＶＰｘ，ＶＮｘを選択するまでの期間、一旦、Ｄ／Ａコンバータ２１０への入力を、液晶パネルを所望の階調表示するために水平ドライバＩＣの外部からシリアルに供給されて内部の図示しない回路でパラレルに変換された８ビットのデジタルデータ信号から、８ビットの固定のデジタルデータ信号Ｄ１〜Ｄ８＝ａｌｌ"１"に切替えることにより、その期間、演算増幅器２２０への入力として、階調電圧ＶＰｘから階調電圧ＶＮ２５６に、または、階調電圧ＶＮｘから階調電圧ＶＰ２５６にしているので、図５に示すように、演算増幅器２２０は内部回路に流れる電流値が最小となり、図２（ｆ）に示すように、出力端子Ｓ１〜Ｓ３８４をコモン電圧Ｖcomに接続後からＤ／Ａコンバータ２１０が次の切替わる極性で次の階調電圧ＶＰｘ，ＶＮｘを選択するまでの期間の演算増幅器２２０の消費電流を低減することができる。上記実施例では、演算増幅器２２０の入力の階調電圧ＶＰ２５６，ＶＮ２５６への切替えは、Ｄ／Ａコンバータ入力を８ビットの固定のデジタルデータ信号Ｄ１〜Ｄ８＝ａｌｌ"１"に切替えることにより行う構成としており、出力段の高電圧ではなく、論理処理段の低電圧を用いて切替えでき、このために大きなレイアウト面積を必要としない。尚、演算増幅器２２０の入力の階調電圧ＶＰ２５６，ＶＮ２５６への切替えを演算増幅器２２０の入力の直前に行うことも可能である。但し、この場合は、出力段の高電圧での切替えが必要である。また、上記実施例では、ドット反転駆動で説明したが、フレーム反転駆動や、ライン反転駆動にも適用可能である。
【００１９】
【発明の効果】
本発明に係わる液晶表示装置の駆動方法および駆動装置によれば、出力端子をコモン電圧に接続後からＤ／Ａコンバータが次の切替わる極性で次の階調電圧を選択するまでの期間、演算増幅器の入力を演算増幅器に流れる電流が最小となる次の切替わる極性での階調電圧とすることにより、演算増幅器の消費電流を低減でき、低消費電流の駆動で液晶パネルの大型化に対応できる。また、演算増幅器に流れる電流が最小となる階調電圧は、コモン電圧に対して最大の電位差となる階調電圧であり、この階調電圧をＤ／Ａコンバータから出力することにより、出力段の高電圧ではなく、論理処理段の低電圧を用いて切替えでき、このために大きなレイアウト面積を必要とせず、素子面積が大きくしないで済む。また、この階調電圧を出力するためにＤ／Ａコンバータに入力されるデジタルデータ信号のｋビットは、全て同一レベル、例えば、８ビットの固定のデジタルデータ信号Ｄ１〜Ｄ８＝ａｌｌ"１"とすることにより、この信号を水平ドライバＩＣの内部回路で簡単に生成できる。
【図面の簡単な説明】
【図１】  本発明の一実施例である水平ドライバＩＣの要部回路図。
【図２】  図１の水平ドライバＩＣの動作を説明するためのタイムチャート。
【図３】  従来の水平ドライバＩＣの要部回路図。
【図４】  図３の水平ドライバＩＣの動作を説明するためのタイムチャート。
【図５】  図１および図３に使用される演算増幅器の出力ハイインピーダンス状態での電流値と、供給される階調電圧値との関係を示す特性図。
【図６】  液晶パネルの負荷の大小による駆動電圧の立ち上がり波形を示す図。
【符号の説明】
２００  水平ドライバＩＣ
２１０  Ｄ／Ａコンバータ
２２０  演算増幅器
２３０  Ａスイッチ
２４０  Ｂスイッチ
２５０  Ｃスイッチ
２６０  Ｄスイッチ